(57)【要約】【課題】アンテナ切替選択動作に先行してチューナーでの利得制御を行なうことで、ＩＦ信号入力のレベル変動を安定させるためにかかる時間を短縮し、受信状態を安定させるようにする。【解決手段】複数のアンテナ１を切替選択する切替選択部２と、前記複数のアンテナ１の切替選択を制御するとともに、切替選択を行なうに先立って、アンテナ切替開始通知信号を出力するスイッチドビーム制御部３と、切替選択されたアンテナ１で受信した信号から選局し増幅するチューナー６と、前記チューナー６によって増幅された放送信号に基づいて、前記チューナー６での利得制御量を制御する利得制御信号を出力する自動利得制御部７と、前記アンテナ切替開始通知信号に従って、前記自動利得制御部７からの利得制御信号にオフセット値を付してオフセット付き利得制御信号を生成するオフセット制御部５とをそなえて構成する。【選択図】図１
2007295253.tif 000002
【特許請求の範囲】
【請求項１】
複数のアンテナを切替選択する切替選択部と、
該切替選択部による前記複数のアンテナの切替選択を制御するとともに当該アンテナの切替選択を行なうに先立って、アンテナ切替開始通知信号を出力するアンテナ切替制御部と、
該切替選択部により切替選択されたアンテナで受信した信号から選局し増幅するチューナーと、
該チューナーによって増幅された放送信号に基づいて、該チューナーでの利得制御量を制御する利得制御信号を出力する自動利得制御部と、
該アンテナ切替開始通知信号に従って、該自動利得制御部からの該自動利得信号にオフセット値を付してオフセット付き利得制御信号を生成するオフセット制御部とをそなえたことを特徴とする、受信制御装置。
【請求項２】
該オフセット制御部が、
該オフセット値を変更可能なオフセット値制御部をそなえ、当該オフセット値制御部が該オフセット値を変更することにより該利得制御量を制御することを特徴とする、請求項１に記載の受信制御装置。
【請求項３】
該オフセット制御部が、
該オフセット値を変更するタイミングを変更可能なオフセットタイミング制御部をそなえることを特徴とする、請求項１または請求項２に記載の受信制御装置。
【請求項４】
複数のアンテナと、前記複数のアンテナを切替選択する切替選択部と、該切替選択部により切替選択されたアンテナで受信した信号を選局し増幅するチューナーと、当該チューナーによって増幅された該信号に基づいて、該チューナーでの利得制御量を制御する自動利得信号を出力する自動利得制御部とをそなえた受信装置における切替制御方法であって、
該切替選択部により前記アンテナの切替選択を行なうに先立ってアンテナ切替開始通知信号を出力するアンテナ切替開始通知ステップと、
該アンテナ切替開始通知信号が出力されると、該自動利得制御部からの該自動利得信号にオフセット値を付してオフセット付き利得制御信号を生成するオフセット付き利得制御信号作成ステップと、
該オフセット付き自動利得信号作成ステップにおいて作成された該オフセット付き利得制御信号を、該チューナに入力するオフセット付き利得制御信号入力ステップとをそなえたことを特徴とする、切替制御方法。
【発明の詳細な説明】
【技術分野】
【０００１】
本発明は、放送局からの放送を受信して再生する受信制御装置並びに同装置における切替制御方法に関し、例えば、車載用のテレビ受像機等に用いて好適な、受信制御装置並びに切替制御方法に関する。
【背景技術】
【０００２】
車載用のテレビ受像機等のように、受像機が高速で移動するような環境下では、放送局からの放送電波の周波数が変動するドップラーシフトという現象が発生する場合がある。
この現象により、例えば、出力周波数の近傍で位相雑音が発生するなど、特に地上波デジタル放送等で導入される直交周波数分割多重（OFDM：Orthogonal Frequency Division Multiplexing）方式を用いた受像機（受信装置）において問題となっている。
【０００３】
このため、上記ドップラーシフトによる位相雑音の影響を低減するために、複数のアンテナを切替選択してアンテナの指向性を自動的に制御することにより、位相雑音を抑制するスイッチドビーム制御が知られている。
ここで、スイッチドビーム制御について、従来の受信装置の構成を示した図５を用いて説明する。
【０００４】
図５は従来の受信装置の要部を示したブロック図であり、この受信装置２００は、複数（図５では、４機としている）のアンテナ１２と、アンテナセレクタ１３と、スイッチドビーム制御部１４と、チューナー１５と、自動利得制御部（AGC：Automatic Gain Control）１６と、復調回路１７とをそなえている。
アンテナ１２は、放送局からの放送電波を受信するために用いられるもので、アンテナセレクタ１３は、前記複数のアンテナ１２の中からチューナー１５が使用するアンテナを切替選択するスイッチ動作を行なうためのものである。
【０００５】
チューナー１５は、放送電波を受信して選局するためのもので、内部に受信信号を一定のレベルに増幅するための増幅器（図示省略）を備えて構成され、この増幅器の利得制御量は、ＡＧＣ１６からのＰＷＭ（Pulse Width Modulation）信号により制御される。
ＡＧＣ１６は、前記チューナー１５からの信号出力に基づいて増幅器の利得制御量を制御するためのＰＷＭ信号を生成、出力するためのもので、復調回路１７は、前記チューナー１５からの出力信号を復調するためのものである。
【０００６】
そして、スイッチドビーム制御部１４は、アンテナセレクタ１３による前記複数のアンテナ１２の切替選択動作を制御してアンテナ１２の指向性を制御するスイッチドビーム制御を行なうためのものである。
即ち、上述のスイッチドビーム制御とは、それぞれ異なる指向特性を有するアンテナ１２を切替選択してアンテナの指向性を最適化することにより、受信状態の最適化を図り、上述したドップラーシフトによる位相雑音の影響を抑制するものである。
【０００７】
一方、上記受信装置において、ＡＧＣ１６は、チューナー１５からの入力信号［中間周波（ＩＦ：Intermediate Frequency）信号］のレベルを一定に保つため、ＰＷＭ信号による増幅器（図示省略）の利得制御を行なっているが、入力信号（入力電界）の急激且つ大きなレベル変動には追従しきれないことがある。前記レベル変動に追従できない場合には、上記受信装置は、正確な受信処理を行なうことができなくなり、受信状態が悪化する可能性がある。
【０００８】
このため、このような課題を解決するために、常に安定した受信状態を維持するような受信装置の受信制御方法が考えられている。
例えば、後記特許文献１には、複数のアンテナの各受信レベルを比較し、これによって得られる相対的な受信レベルの差に基づいて自動利得制御用の補償信号を発生して、次に選択されるアンテナの受信レベルに対応するように自動利得制御を行なう方法が開示されている。
【０００９】
また、特許文献２には、複数の受信系統で受信した到来波の相関検出情報とＦＦＴウィンドウ位置検出情報とを基に到来波の伝送路特性、それぞれの到来波の信号レベル変動と周波数偏差量とを推定して、その推定結果を用いてＡＧＣ制御情報を生成して、複数の受信系統のＡＧＣを効率的に行なうことが開示されている。
さらに、特許文献３には、通信開始時に現在位置情報と通信相手局との距離から受信信号レベルを予測し、可変利得増幅器において所望の受信信号レベルを得るための予測利得を初期値として利得制御量を制御することが開示されている。
【００１０】
また、特許文献４には、自動利得制御装置において、信号の増幅率を調整できる可変利得増幅手段と、可変利得増幅手段の出力を基に利得制御信号を生成する複数の利得制御手段とをそなえ、利得制御信号を１つ選択して可変利得制御手段へ出力することにより、希望無線周波数帯に変動が生じた場合でも自動利得制御を追従させることが開示されている。
【００１１】
さらに、特許文献５には、チューナ回路や利得可変増幅回路の受信信号が急激に変化する状態を判定回路で判定し、判定出力に基づいてＡＧＣ回路のＡＧＣ時定数を切り替えることにより、選局切替え時等の過渡現象やアンテナ入力電界急変時等にもＡＧＣを追随させることが開示されている。
【特許文献１】特許第３５３３６８６号公報
【特許文献２】特開２００１−３４５７７８号公報
【特許文献３】特開２００３−２０９４７７号公報
【特許文献４】特開平８−８４０８８号公報
【特許文献５】特開２００１−１４８８１９号公報
【発明の開示】
【発明が解決しようとする課題】
【００１２】
上述したように、上記の受信装置２００では、チューナー１５からＡＧＣ１６に入力されるＩＦ信号の入力電界のレベル変動が抑制されるように利得制御を行なうが、例えば、上記のスイッチドビーム制御においてアンテナ１２の切替制御が行なわれる場合、頻繁にレベル変動が生じることが多く、このレベル変動を従来よりも更に抑制するような利得制御を行なう必要がある。
【００１３】
ここで、スイッチドビーム制御によって、例えばアンテナ１２の使用数が減少した場合のＩＦ信号のレベル変動を図６を用いて説明する。
図６はスイッチドビーム制御により、アンテナ１２の使用数が減少する前後での、（ａ）スイッチドビームアンテナ切替波形、（ｂ）ＡＧＣ１６での利得制御量、（ｃ）ＩＦ入力信号のレベルのタイミングを示す図であり、図６では、点線を境界として、左側がアンテナ１２の使用数の減少前を表し、右側が減少後を表している。
【００１４】
（ａ）のスイッチドビームアンテナ切替波形は、スイッチドビーム制御部１４からアンテナセレクタ１３に出力される制御信号波形の時間変化を表したものであり、例えば、この制御信号がＯＮ時にはアンテナ１２を４機使用するようにアンテナ切替選択を行ない、ＯＦＦ時にはアンテナ１２を２機使用するように切替選択を行なうようにアンテナセレクタ１３を制御するものである。ここでは、前記制御信号がＯＮからＯＦＦへと切り替わる（アンテナ１２が４機から２機へと減少する）様子が示されている。
【００１５】
（ｂ）の利得制御量は、チューナー１５内の増幅器における利得制御量の時間変化を表したものであり、（ｃ）のＩＦ入力信号レベルは、チューナー１５から出力されるＩＦ信号のレベルの時間変化を表したものである。
図６に示す例では、スイッチドビーム制御によりアンテナ切替選択（スイッチドビームアンテナ切替波形（ａ）が、ＯＮからＯＦＦへ遷移）されると、ＩＦ入力信号レベル（ｃ）が急激に変化（ここでは、一旦低下）し、この変化に基づいて、ＡＧＣ１６からのＰＷＭ信号により、ＩＦ信号レベルを一定に保つように利得制御量が変化（ここでは、一旦増加）する。その後、（ｂ），（ｃ）ともに相互に変動して、やがてＩＦ入力信号レベル（ｃ）が一定値に落ち着くようになる。
【００１６】
しかしながら、上述した各特許文献に記載の方法は、入力レベルを一定に落ち着かせるのに一定の時間を要するため、例えば、スイッチドビーム制御により頻繁にアンテナの切替えが起こったような場合には、チューナー１５での利得（ゲイン）が制御される前にさらなるレベル変動が生じるなどして利得制御を正常に行なうことができなくなる可能性がある。また、このような場合、入力レベルが低いあるいは高い状態が長時間続くことにより、受信エラーが発生して放送電波の受信状態が悪化する可能性がある。
【００１７】
本発明は、このような課題に鑑みて創案されたもので、スイッチドビーム制御によるアンテナ切替選択動作に先行して、チューナー１５での利得制御を行なうようにすることで、ＩＦ信号入力のレベル変動を安定させるために必要とする時間を更に短縮し、受信状態を安定させることを目的とする。
【課題を解決するための手段】
【００１８】
上記の目的を達成するため、本発明では、下記の受信制御装置並びに切替制御方法を用いることを特徴としている。即ち、
（１）本発明の受信制御装置は、複数のアンテナを切替選択する切替選択部と、切替選択部による前記複数のアンテナの切替選択を制御するとともに当該アンテナの切替選択を行なうに先立って、アンテナ切替開始通知信号を出力するアンテナ切替制御部と、前記切替選択部により切替選択されたアンテナで受信した信号から選局し増幅するチューナーと、前記チューナーによって増幅された放送信号に基づいて、前記チューナーでの利得制御量を制御する利得制御信号を出力する自動利得制御部と、前記アンテナ切替開始通知信号に従って、前記自動利得制御部からの利得制御信号にオフセット値を付してオフセット付き利得制御信号を生成するオフセット制御部とをそなえたことを特徴としている。
【００１９】
（２）ここで、前記オフセット制御部が、前記オフセット値を変更可能なオフセット値制御部をそなえ、当該オフセット値制御部がオフセット値を変更することにより前記利得制御量を制御するようにしてもよい。
（３）さらに、前記オフセット制御部が、前記オフセット値を変更するタイミングを変更可能なオフセットタイミング制御部をそなえて構成されてもよい。
【００２０】
（４）また、本発明の切替制御方法は、複数のアンテナと、複数のアンテナを切替選択する切替選択部と、前記切替選択部により切替選択されたアンテナで受信した信号を選局し増幅するチューナーと、当該チューナーによって増幅された前記信号に基づいて、前記チューナーでの利得制御量を制御する利得制御信号を出力する自動利得制御部とをそなえた受信装置における切替制御方法であって、前記切替選択部により前記アンテナの切替選択を行なうに先立ってアンテナ切替開始通知信号を出力するアンテナ切替開始通知ステップと、アンテナ切替開始通知信号が出力されると、前記自動利得制御部からの利得制御信号にオフセット値を付してオフセット付き利得制御信号を生成するオフセット付き利得制御信号作成ステップと、オフセット付き利得制御信号作成ステップにおいて作成された前記オフセット付き利得制御信号を、前記チューナに入力するオフセット付き利得制御信号入力ステップとをそなえたことを特徴としている。
【発明の効果】
【００２１】
上記本発明によれば、少なくとも次のいずれかの効果ないし利点が得られる。
（１）スイッチドビーム制御によるアンテナ切替選択が行なわれる前にアンテナ切替開始通知信号をオフセット制御部へ出力して、ＩＦ信号の入力レベルが変動する前に利得制御信号の制御を先行して行なうので、アンテナ切替え時に生じるレベル変動にかかる時間を最小限に抑えることができるため、受信状態を安定させて受信装置全体の性能の向上を図ることができる。
【００２２】
（２）前記利得制御信号にオフセット値を付加したオフセット付き利得制御信号によりチューナーの利得制御量を制御するようにしており、オフセット値を変更するだけでチューナーの利得制御量を制御できるので、簡単な加減算回路を用いることで装置を実現することができる。
（３）さらに、オフセット制御部に設けられたオフセットタイミング制御部により、オフセット値を変更するタイミングについても設定することができるので、よりきめ細かい利得制御が可能となり、ＩＦ信号の入力レベル変動を効率よく抑制することができる。
【００２３】
（４）チューナーからの入力信号（ＩＦ信号）をより一定レベルに保つことができるので、受信状態が安定し、これにより、利用者（ユーザ）の不快感を低減させることが可能となる。
【発明を実施するための最良の形態】
【００２４】
以下、本発明の受信制御装置並びに切替制御方法（以下、単に「受信装置」という）について、図面を用いて説明する。なお、当該受信装置は、例えば、車載用テレビ受像機等の車載機器に適用できるほか、将来的には、携帯電話やＰＤＡ（Personal Digital Assistance）端末等に搭載の受信装置に適用することも可能である。
（１）一実施形態の説明
図１は本発明の一実施形態に係る受信装置１００の要部の構成を示すブロック図である。
【００２５】
この図１に示すように、本実施形態の受信装置１００は、例えば、複数のアンテナ１と、アンテナセレクタ２と、スイッチドビーム制御部３と、アンテナ切替監視部４と、ＰＷＭ（Pulse Width Modulation）オフセット制御部５と、チューナー６と、ＡＧＣ（Automatic Gain Control）７と、復調回路８とをそなえて構成される。
ここで、複数のアンテナ１は、放送局からの放送電波を受信するために用いられるもので、アンテナセレクタ（切替選択部）２は、前記複数のアンテナ１の中から使用するアンテナを切替選択するスイッチ動作を行なうためのものであり、例えばハードウェアスイッチなどにより実現される。
【００２６】
スイッチドビーム制御部（アンテナ切替制御部）３は、前記アンテナセレクタ２による前記複数のアンテナ１の切替選択を制御して、アンテナの指向性を制御するスイッチドビーム制御（アンテナ切替制御）を行なうためのものであり、さらに、アンテナ切替選択を行なうまでの時間情報に関するアンテナ切替開始通知信号（アンテナ切替開始タイマー信号）を前記のアンテナ切替選択制御に先行してアンテナ切替監視部４に出力するものである。また、スイッチドビーム制御の際のアンテナ１の増減に関する情報（スイッチドビームアンテナ切替波形情報）をアンテナ切替監視部４に出力することができるようにもなっている。
【００２７】
アンテナ切替監視部４は、前記アンテナ切替開始通知信号に基づいて、ＰＷＭオフセット制御部（オフセット制御部）５でのオフセット付きＰＷＭ信号（オフセット付き利得制御信号）生成の契機となるアンテナ切替予告信号を前記のアンテナ切替選択制御に先行してＰＷＭオフセット制御部５に出力するものである。なお、スイッチドビーム制御部３が、アンテナ切替開始通知信号をＰＷＭオフセット制御部５に直接出力するように構成されてもよく、この場合には、受信装置は、図１の構成からアンテナ切替監視部４を削除した構成となる。さらに、アンテナ切替開始通知信号が、スイッチドビームアンテナ切替波形情報を含むようにしてもよい。
【００２８】
ＰＷＭオフセット制御部（オフセット制御部）５は、前記アンテナ切替開始通知信号に基づいて、ＡＧＣ７からのＰＷＭ信号（利得制御信号）にオフセット値を付したオフセット付きＰＷＭ信号（オフセット付き自動利得信号）をチューナー６に対して出力するものであり、このオフセット値を付すタイミングやそのオフセット量についての設定は、ユーザが外部から設定しうるようになっている。これらの設定方法及びその効果については、図２及び図４を用いて後述する。
【００２９】
チューナー６は、放送電波を受信して選局するためのもので、複数（本実施形態では２機）そなえられ、それぞれ内部に受信した信号を増幅するための増幅器（図示省略）を備えて構成される。
ＡＧＣ（自動利得制御部）７は、前記チューナー６で増幅された放送信号出力レベル（ＩＦ信号出力レベル）に基づいてチューナー６の利得制御を行なうためのＰＷＭ信号（利得制御信号）を生成、出力するためのもので、前記複数のチューナー６に対してそれぞれそなえられている。なお、ＡＧＣ７がチューナー６での利得制御を行なうために生成、出力するものは、ＰＷＭ信号に限らず、利得制御を行なえるような信号（利得制御信号）であればよい。
【００３０】
復調回路８は、前記チューナー６からの出力信号を復調してトランスポートストリーム（TS：Transport Stream）として出力するためのものであり、前記複数のチューナー６により共用されている。
このような構成により、スイッチドビーム制御部３によるアンテナ切替制御に先行して、チューナー６における受信信号の利得制御を行なうことができ、利得制御に要する時間を従来よりも短縮することが可能となる。このため、上記アンテナ切替制御が頻繁に行なわれた場合においても、前記利得制御を正常に行なうことができるので、上記受信装置において、正確かつ安定した受信制御を行なうことが可能となる。
【００３１】
以下、図２を用いて、上述のごとく構成された本実施形態の受信装置の動作について詳述する。
図２はＰＷＭオフセット制御部５の構成の一例を示すブロック図である。
この図２に示すように、前記ＰＷＭオフセット制御部５は、例えば、オフセットタイミング制御部９と、設定値レジスタ１０と、オフセット値加減算制御部１１とをそなえて構成される。
【００３２】
ここで、オフセットタイミング制御部９は、前記アンテナ切替開始通知信号を契機として、設定値レジスタ１０に保持されているオフセットタイミング（例えば、オフセットタイミング１，２，３）の値に基づき、オフセット値を加減算するタイミングを生成し、これをオフセットタイミング信号として出力するものである。これにより、オフセット値を時間に応じて段階的に変化させてＰＷＭ信号に付加することが可能となるので、きめ細かい利得制御が可能となり、ＩＦ信号の入力レベル変動を更に抑制することができる。
【００３３】
設定値レジスタ１０は、オフセットタイミング制御部９及びオフセット値加減算制御部１１と協働することにより、オフセット値を変更可能なオフセット値制御部として動作するもので、オフセット値に関する各種設定を保持するためのものである。本例では、前記オフセットタイミングや、オフセット値をそれぞれ保持している。なお、これらの設定値は、外部からのレジスタアクセスにより変更可能とすることで、例えば、オフセット値の増分及び減分を個別に設定したりすることもできるようになっているので、よりきめ細かい利得制御が可能となり、ＩＦ信号の入力レベル変動の更なる抑制を図ることができる。。また、本例では、オフセットタイミングとしてオフセットタイミング１，２，３を、オフセット値としてオフセット値Ａ，Ｂ，Ｃ，Ｄを保持するものとする。
【００３４】
オフセット値加減算制御部１１は、ＡＧＣ７からのＰＷＭ信号にオフセット値を加算あるいは減算するためのものであり、前記オフセットタイミング制御部９からのオフセットタイミング信号と、前記設定値レジスタ１０からのオフセット値とに基づいて、ＡＧＣ７からのＰＷＭ信号にオフセットを付するためのものである。なお、これらのオフセットタイミングやオフセット値に関する設定は、設定値レジスタ１０に保持された複数の設定の中から選択的に変更することができるので、ＩＦ信号の変動レベルを抑制するのに最適なオフセット付きＰＷＭ信号を短時間で生成することが可能となる。また、オフセット付きＰＷＭ信号の生成を簡単な加減算回路を用いることで実現でき、省スペース化及び省コスト化を図ることもできる。さらに、このとき、アンテナ切替監視部４から、前記スイッチドビームアンテナ切替波形より識別されるアンテナの増減情報（スイッチドビームアンテナ切替波形情報）を受信するようにもでき、これにより、アンテナの使用数の増減に応じて上記オフセットタイミングや上記オフセット量の設定が最適なものになるように切り替えることもできるので、前記利得制御動作のさらなる高速化を図ることが可能となる。
【００３５】
そして、前記オフセット値加減算制御部１１によりオフセット付きＰＷＭ制御信号がチューナー６へと出力され、このオフセット付きＰＷＭ制御信号に基づいてチューナー６での利得制御が行なわれるようになっている。
また、上述したＰＷＭオフセット制御部５は、複数のチューナー６に対してそれぞれ同様にそなえられており、オフセットに関する設定（ここでは、オフセットタイミングやオフセット値をいう）を複数のチューナー６に対して個別に設定可能となっている。これにより、多様なアンテナ切替選択が行なわれる場合でも、それぞれ個別にオフセットを設定して利得制御を行なうことが可能となるので、より効果的な利得制御を行なうことができ、ＩＦ信号のレベル変動をさらに抑制することが可能となる。
【００３６】
なお、上記の設定値レジスタ１０は、専用のメモリやＨＤＤ等の記憶装置によって実現してもよいし、その他の機能の一部又は全部を兼用する記憶装置によって実現してもよい。これにより、前記記憶装置に、タイミングに関する設定値を記憶することができるので、タイミング処理に必要な回路規模を縮小させることが可能となる。また、上記のスイッチドビーム制御部３，アンテナ切替監視部４と，ＰＷＭオフセット制御部５，チューナー６，ＡＧＣ７，復調回路８としての機能は、例えば本受信装置１００に搭載のＣＰＵやＭＰＵ等のプロセッサ（図示省略）が所定のアプリケーションプログラムを読み取って動作することにより実現される。そのプログラムは、例えば、フレキシブルディスクやＣＤ−ＲＯＭ，ＤＶＤ−ＲＯＭ／ＲＡＭ，磁気ディスク，光磁気ディスク等の記録媒体に格納された形態で上記記憶装置に提供（インストール）されてもよいし、無線ネットワーク（通信回線）を介してダウンロードする形態で提供されてもよい。
【００３７】
（１．１）動作説明
以下、上述のごとく構成された本実施形態の受信制御装置における切替制御方法について、図３に示すフローチャートを参照しながら説明する。
この図３に示すように、本切替制御方法では、まず、アンテナセレクタ２によるアンテナ切替選択動作に先行して、スイッチドビーム制御部３がアンテナ切替監視部４にアンテナ切替通知信号を出力し、さらに、アンテナ切替監視部４が、アンテナ切替予告信号をＰＷＭオフセット制御部５に出力する（ステップＳ１０、アンテナ切替開始通知ステップ）。
【００３８】
そして、ＰＷＭオフセット制御部５は、アンテナ切替予告信号に含まれるスイッチドビーム制御部３からのスイッチドビームアンテナ切替波形情報に基づいて、アンテナ数が増加したかどうかを判定し（ステップＳ１）、アンテナ数が増加したと判定した場合には（ステップＳ１のｙｅｓルート）、アンテナ数が増加した場合のためのオフセットタイミング及びオフセット値をそれぞれ設定値レジスタ１０に設定する（ステップＳ２，ステップＳ３）。一方、アンテナ数が増加したと判定されなかった場合は（ステップＳ１のｎｏルート）、アンテナ数が減少した場合のためのオフセットタイミング及びオフセット値をそれぞれ設定値レジスタ１０に設定する（ステップＳ４，ステップＳ５）。なお、ここでいうアンテナ数が増加あるいは減少した場合のためのオフセットタイミング及びオフセット値とは、アンテナ数が増加あるいは減少した場合にチューナー６での利得が最適となる、即ち、ＩＦ信号のレベル変動が効果的に抑制されるような利得制御を可能とする、オフセット付きＰＷＭ信号を生成できるオフセット設定のことをいう。また、アンテナ数が増加した場合と減少した場合とで、同じオフセット設定を用いるようにしてもよく、この場合には、ステップＳ１，Ｓ４，Ｓ５の処理は不要となり、さらに、スイッチドビームアンテナ切替波形情報も不要となるため処理を高速化することができる。
【００３９】
次に、オフセットタイミング制御部９が、設定値レジスタ１０に保持されたオフセットタイミングを読み込み（ステップＳ６）、オフセットタイミング信号を生成、出力する。
そして、オフセット値加減算制御部１１が、前記オフセットタイミング信号を読み込むとともに、設定値レジスタ１０に保持されたオフセット値を読み込み（ステップＳ７）、さらに、ＡＧＣ７からのＰＷＭ信号を読み込んで（ステップＳ８）、ステップＳ９において、オフセット付きＰＷＭ信号を生成する（ステップＳ２０、オフセット付き利得制御信号作成ステップ）。つまり、アンテナ切替開始通知信号がＯＮ状態である場合にオフセット付きＰＷＭ信号は生成されるようになっている。
【００４０】
ついで、ステップＳ９において生成されたオフセット付き利得制御信号をチューナー６に入力する（ステップＳ３０、オフセット付き利得制御信号入力ステップ）ことにより、本切替制御方法を実現する。
ここで、以上の処理により得られる効果について、図４（ａ）、図４（ｂ）を用いて具体的に説明する。
【００４１】
図４（ａ）はスイッチドビーム制御によりアンテナ１の使用数が減少する前後でのスイッチドビームアンテナ切替波形，アンテナ切替予告信号（アンテナ切替開始通知信号），オフセット，オフセット付き利得制御量およびＩＦ入力信号レベルについてのタイミング図であり、図４（ｂ）はオフセット値及びオフセットタイミング設定を詳述するためのタイミング図である。なお、図中の点線（ｉ）は、アンテナ切替開始通知信号が生成されるとともにＰＷＭオフセット制御部５に入力されるタイミングを表し、また、点線（ii）は、スイッチドビームアンテナ切替波形がＯＮからＯＦＦ、即ち、アンテナ切替選択が行なわれてアンテナ数が減少するタイミングを表しており、さらに、点線（iii）は、アンテナ切替開始通知信号がＯＦＦとなるタイミングを表している。
【００４２】
まず、（ｉ）〜（ii）の区間では、（ｉ）に示すタイミングで、アンテナ切替監視部４により、アンテナ切替開始通知信号がＯＮ状態になる。ここで、スイッチドビーム制御部３によりアンテナ切替制御が行なわれるのは、（ii）で示すタイミングであるので、アンテナ切替選択に先行してアンテナ切替開始通知信号がＯＮ状態となっていることになる。なお、アンテナ切替開始通知信号をアンテナ切替選択に対してどのくらい先行させるかは、例えばスイッチドビーム制御部３に設定される所定値を変更することにより、ユーザが適宜変更できるようになっている。
【００４３】
そして、例えば、図４に示すアンテナ切替開始通知信号がＯＮとなるタイミング（ｉ）よりも早いタイミングでアンテナ切替開始通知信号をＯＮにした場合は、ＩＦ入力信号レベルの変化をさらに緩やかにすることもできる。しかしながら、上記タイミング（ｉ）を過剰に早く設定すると、頻繁にアンテナ切替選択が行なわれた場合に、利得制御処理がアンテナ切替選択処理に間に合わなくなる可能性が生じるので、上記タイミング（ｉ）については、アンテナ切替選択処理の発生頻度等の状況に応じて最も適当なタイミングとなるように設定するのが好ましい。
【００４４】
また、アンテナ切替開始通知信号がＯＮとなるのを契機として、ＰＷＭオフセット制御部５が、上述したステップによりオフセットを生成して、オフセット付きＰＷＭ信号がチューナー６に出力される。これにより、オフセット付き利得制御量が増加するとともに、ＩＦ入力信号レベルもゆるやかに上昇している。
一方、（ii）〜（iii）の区間では、まず、（ii）に示すタイミングで、アンテナセレクタ２により、アンテナ１の切替選択処理が行なわれる。これにより、ＩＦ入力信号レベルが下降し始めるが、アンテナ切替選択処理に先行して、オフセット付きＰＷＭ信号に基づいて利得制御が行なわれていたので、従来と比較して、ゆるやかな下降にとどまっている。
【００４５】
また、この区間では、オフセットも減少し始めるので、オフセット付き利得制御量も収束し始めている。
そして、（iii）で示すタイミングで、アンテナ切替開始通知信号がＯＦＦとなり、オフセットもゼロとなる。また、このとき既に、オフセット付き利得制御量及びＩＦ入力信号レベルも収束している。
【００４６】
ここで、図４（ｂ）を用いて、オフセット値及びオフセットタイミング設定について説明する。
点線（ｉ），（iii），（iv），（ｖ）は、それぞれオフセット値が変化するタイミン
グを表しており、オフセット値Ａ〜Ｄ及びオフセットタイミング（１）〜（３）は、それぞれ設定値レジスタ１０に予め保持された設定値である。
【００４７】
本例では、オフセット値を、Ａ＝Ｂ＝−Ｃ＝−Ｄ＞０とし、かつ、オフセットタイミングを、（１）＝（２）＝（３）と設定することにより、オフセット付き利得制御量が急激に変化しない、即ち、ＩＦ入力信号レベルが急激にかつ大きく変動しないように利得を制御しているが、これらの設定値は自在に変更することも可能である。例えば、アンテナ数が増加した場合には、オフセット値を、−Ａ＝−Ｂ＝Ｃ＝Ｄ＞０とすることにより、ＩＦ入力信号レベルを効果的に制御することが可能となり、また、オフセットタイミングの設定値の数を多くするとともにオフセット値を小さく変化させることにより、利得制御量をより細かく制御することが可能となり、ＩＦ入力信号のレベル変動を更に抑制することが可能となる。なお、オフセット値はリニア（連続的）に変化させてもよい。
【００４８】
以上の処理により、チューナー６からのＩＦ入力信号信号をより短時間で一定レベルに維持することができるので、受信状態が安定し、これにより、ユーザの不快感を低減させることが可能となる。
（２）その他
以上、本発明の一実施形態について詳細に説明したが、本発明は上記の実施形態に限定されるものではなく、本発明の趣旨を逸脱しない範囲において任意に変形して実施することができる。
【００４９】
例えば、上記の受信装置は、必ずしも上述した各種機能をすべて具備している必要はない。例えば、受信制御装置として動作する場合には、アンテナ１は装備しなくてもよいし、チューナー６が１機しかない場合には、ＰＷＭオフセット制御部５、ＡＧＣ７は、それぞれ１機でよい。また、設定値レジスタ１０を大容量のレジスタで構成すれば、オフセットに関する設定値（オフセット値、オフセットタイミングなど）をより多く取ることもできる。また、アンテナ１は、３機以下あるいは５機以上であってもよく、オフセット制御部５、チューナー６、自動利得制御部７をそれぞれ３機以上そなえてもよい。
【００５０】
（３）付記
（付記１）
複数のアンテナを切替選択する切替選択部と、
該切替選択部による前記複数のアンテナの切替選択を制御するとともに当該アンテナの切替選択を行なうに先立って、アンテナ切替開始通知信号を出力するアンテナ切替制御部と、
該切替選択部により切替選択されたアンテナで受信した信号から選局し増幅するチューナーと、
該チューナーによって増幅された放送信号に基づいて、該チューナーでの利得制御量を制御する利得制御信号を出力する自動利得制御部と、
該アンテナ切替開始通知信号に従って、該自動利得制御部からの該自動利得信号にオフセット値を付してオフセット付き利得制御信号を生成するオフセット制御部とをそなえたことを特徴とする、受信制御装置。
【００５１】
（付記２）
該オフセット制御部が、
該オフセット値を変更可能なオフセット値制御部をそなえ、当該オフセット値制御部が該オフセット値を変更することにより該利得制御量を制御することを特徴とする、付記１に記載の受信制御装置。
【００５２】
（付記３）
該オフセット値制御部が、
該オフセット値を段階的に変化させることを特徴とする、付記２に記載の受信制御装置。
（付記４）
該オフセット値制御部が、
該オフセット値の増分と減分とを個別に設定することを特徴とする、付記２または付記３に記載の受信制御装置。
【００５３】
（付記５）
前記複数のチューナーに対してそれぞれそなえられたオフセット制御部が、
該オフセット値に関する設定をそれぞれ個別に有することを特徴とする、付記１〜４のいずれか１項に記載の受信制御装置。
（付記６）
該オフセット制御部が、
該オフセット値を変更するタイミングを変更可能なオフセットタイミング制御部をそなえることを特徴とする、付記１〜５のいずれか１項に記載の受信制御装置。
【００５４】
（付記７）
該オフセットタイミング制御部が、
該オフセット値を変更するタイミングを決定するためのオフセットタイミング値を複数個そなえ、該オフセットタイミング値を選択的に変更することを特徴とする、付記６記載の受信制御装置。
【００５５】
（付記８）
前記複数のチューナーに対してそれぞれそなえられたオフセット制御部が、
該オフセットタイミング値に関する設定をそれぞれ個別に有することを特徴とする、付記６または付記７に記載の受信制御装置。
（付記９）
該オフセット制御部が、
該オフセット値及び該オフセットタイミング値に関する設定を、アンテナの増減に対応してそれぞれそなえることを特徴とする、付記６〜８のいずれか１項に記載の受信制御装置。
【００５６】
（付記１０）
複数のアンテナと、前記複数のアンテナを切替選択する切替選択部と、該切替選択部により切替選択されたアンテナで受信した信号を選局し増幅するチューナーと、当該チューナーによって増幅された該信号に基づいて、該チューナーでの利得制御量を制御する自動利得信号を出力する自動利得制御部とをそなえた受信装置における切替制御方法であって、
該切替選択部により前記アンテナの切替選択を行なうに先立ってアンテナ切替開始通知信号を出力するアンテナ切替開始通知ステップと、
該アンテナ切替開始通知信号が出力されると、該自動利得制御部からの該自動利得信号にオフセット値を付してオフセット付き利得制御信号を生成するオフセット付き利得制御信号作成ステップと、
該オフセット付き利得制御信号作成ステップにおいて作成された該オフセット付き利得制御信号を、該チューナに入力するオフセット付き利得制御信号入力ステップとをそなえたことを特徴とする、切替制御方法。
【００５７】
（付記１１）
該オフセット付き利得制御信号作成ステップにおいて、
該オフセット値を変更することにより該利得制御量を制御することを特徴とする、付記１０に記載の切替制御方法。
（付記１２）
該オフセット付き利得制御信号作成ステップにおいて、
該オフセット値を段階的に変化させることを特徴とする、付記１１に記載の切替制御方法。
【００５８】
（付記１３）
該オフセット付き利得制御信号作成ステップにおいて、
該オフセット値の増分と減分とを個別に設定しうることを特徴とする、付記１１または付記１２に記載の切替制御方法。
（付記１４）
該オフセット付き利得制御信号作成ステップにおいて、
該オフセット値に関する設定を、前記複数のチューナーに対してそれぞれそなえられたＰＷＭオフセット制御部に対してそれぞれ個別に作成しうることを特徴とする、付記１０〜１３のいずれか１項に記載の切替制御方法。
【００５９】
（付記１５）
該オフセット付き利得制御信号作成ステップにおいて、
該オフセット値を変更するタイミングを変更しうることを特徴とする、付記１０〜１４のいずれか１項に記載の切替制御方法。
（付記１６）
該オフセット付き利得制御信号作成ステップにおいて、
該オフセット値を変更するタイミングを決定するためのオフセットタイミング値を複数個作成し、該オフセットタイミング値を選択的に変更しうることを特徴とする、付記１５記載の切替制御方法。
【００６０】
（付記１７）
該オフセット付き利得制御信号作成ステップにおいて、
該オフセットタイミング値に関する設定を、前記複数のチューナーに対してそれぞれ個別に作成しうることを特徴とする、付記１５または付記１６に記載の切替制御方法。
（付記１８）
該オフセット付き利得制御信号作成ステップにおいて、
該オフセット値及び該オフセットタイミング値に関する設定を、アンテナの増減に対応してそれぞれ作成しうることを特徴とする、付記１５〜１７のいずれか１項に記載の切替制御方法。
【００６１】
（付記１９）
放送電波を受信する複数のアンテナと、
前記複数のアンテナを切替選択する切替選択部と、
該切替選択部による前記複数のアンテナの切替選択を制御するとともに当該アンテナの切替選択を行なうに先立って、アンテナ切替開始通知信号を出力するアンテナ切替制御部と、
該切替選択部により切替選択されたアンテナで受信した信号から選局し増幅するチューナーと、
該チューナーによって増幅された放送信号に基づいて、該チューナーでの利得制御量を制御する自動利得信号を出力する自動利得制御部と、
該アンテナ切替監視部からの該アンテナ切替開始通知信号に従って、該自動利得制御部からの該自動利得信号にオフセット値を付してオフセット付き利得制御信号を生成するオフセット制御部とをそなえたことを特徴とする、受信装置。
【図面の簡単な説明】
【００６２】
【図１】本発明の一実施形態に係る受信装置の要部の構成を示すブロック図である。
【図２】本発明の一実施形態に係るＰＷＭオフセット制御部の要部の構成を示すブロック図である。
【図３】本発明の一実施形態に係る受信装置の動作を説明するためのフローチャートである。
【図４】（ａ），（ｂ）は、本発明の一実施形態に係る受信装置を流れる各種信号波形を説明するためのタイミングチャートである。
【図５】従来の受信装置の構成を示すブロック図である。
【図６】従来の受信装置を流れる各種信号波形を説明するためのタイミングチャートである。
【符号の説明】
【００６３】
１  アンテナ
２  アンテナセレクタ（切替選択部）
３  スイッチドビーム制御部（アンテナ切替制御部）
４  アンテナ切替監視部
５  ＰＷＭオフセット制御部（オフセット制御部）
６  チューナー
７  ＡＧＣ（自動利得制御部）
８  復調回路
９  オフセットタイミング制御部
１０  設定値レジスタ
１１  オフセット値加減算制御部
１００  受信装置
【図１】
2007295253.tif 000003
【図２】
2007295253.tif 000004
【図３】
2007295253.tif 000005
【図４】
2007295253.tif 000006
【図５】
2007295253.tif 000007
【図６】
2007295253.tif 000008